(57)【要約】【課題】  腕等を阻血袋で均等に圧迫できる血圧計を提供する。【解決手段】  阻血袋１１を保持したカフ帯１２が設けられ、このカフ帯１２の長さ方向の両端部１２ａは、自動巻き取りドラム１３に連結されている血圧計１であって、上記カフ帯１２の長さ方向の両端部１２ａ´が傾斜状に形成されて、この傾斜状両端部１２ａ´は、端縁を合致させた状態で、上記ドラム１３の軸方向ｅと平行に、ドラム１３に連結されて、カフ帯１２は、外向き側の端部１２ｂは太く（Ｄ１）、内向き側の端部１２ｃは細く（Ｄ２）なるような略円錐筒状に巻かれるようになる。【選択図】  図３
2005237432.tif 000002
【特許請求の範囲】
【請求項１】
阻血袋を保持したカフ帯が設けられ、このカフ帯の長さ方向の両端部は、自動巻き取りドラムに連結されている血圧計であって、
上記カフ帯の長さ方向の両端部が傾斜状に形成されて、この傾斜状両端部は、端縁を合致させた状態で、上記ドラムの軸方向と平行に、ドラムに連結されていることを特徴とする血圧計。
【請求項２】
上記カフ帯の幅方向の両端部の少なくとも両端側は、上記ドラムの軸直角方向に沿う形状に形成されていることを特徴とする請求項１記載の血圧計。
【請求項３】
阻血袋を保持したカフ帯が設けられ、このカフ帯の長さ方向の両端部は、自動巻き取りドラムに連結されている血圧計であって、
上記ドラムは、円錐形状に形成されていることを特徴とする血圧計。
【請求項４】
阻血袋を保持したカフ帯が設けられ、このカフ帯の長さ方向の両端部は、自動巻き取りドラムに連結されている血圧計であって、
上記カフ帯の幅方向の一端部に、他端部方向に切り込んだスリットが形成されていることを特徴とする血圧計。
【請求項５】
阻血袋を保持したカフ帯が設けられ、このカフ帯の長さ方向の両端部は、自動巻き取りドラムに連結されている血圧計であって、
上記カフ帯の長さ方向の両端部にスリットが形成されて幅方向に２分割されるとともに、上記ドラムは軸方向に２分割されて独立して巻き取り可能に構成され、この分割された各ドラムに、上記分割されたカフ帯の同じ側の分割端側の端部が連結されていることを特徴とする血圧計。
【発明の詳細な説明】
【技術分野】
【０００１】
本発明は、腕等を阻血袋で均等に圧迫できる血圧計に関する。
【背景技術】
【０００２】
従来、阻血袋を保持したカフ帯が設けられ、このカフ帯の長さ方向の両端部は、自動巻き取り機構に連結されている血圧計がある（例えば、特許文献１参照）。
【０００３】
ところで、図７（ａ）（ｂ）に示すように、上記のようなカフ帯２１は、通常は長方形状であって、カフ帯２１の長さ方向の両端部２１ａを自動巻き取りドラム２２に連結して、このドラム２２の正回転（矢印ｂ参照）でカフ帯２１の両端部２１ａが巻き取られ、阻血袋が腕等に巻き付けられるようになる。
【０００４】
そして、図７（ｃ）に示すように、カフ帯２１の阻血袋の巻き付け部位である上腕Ｍ１は、通常は、肩側が太く（Ｄ１）、肘側が細く（Ｄ２）なっている。なお、巻き付け部位が手首Ｍ２であっても、通常は、肘側が太く（Ｄ３）、掌側が細く（Ｄ４）なっている。
【特許文献１】特開平１−２５４１４６号公報
【発明の開示】
【発明が解決しようとする課題】
【０００５】
しかしながら、カフ帯２１の阻血袋の部分は、正円筒状態で腕等に巻き付けられることになるから、太い部分（Ｄ１，Ｄ３）でカフ帯２１の巻き付けが制限されて、細い部分（Ｄ２，Ｄ４）では腕等の間に隙間Ｔができてカフ帯２１の巻き付けが緩くなるので、腕等を阻血袋で均等に圧迫できなくなって、測定精度が低下するという問題があった。
【０００６】
本発明は、上記問題を解消するためになされたもので、腕等を阻血袋で均等に圧迫できる血圧計を提供することを課題とするものである。
【課題を解決するための手段】
【０００７】
上記課題を解決するために、請求項１の発明は、阻血袋を保持したカフ帯が設けられ、このカフ帯の長さ方向の両端部は、自動巻き取りドラムに連結されている血圧計であって、
上記カフ帯の長さ方向の両端部が傾斜状に形成されて、この傾斜状両端部は、端縁を合致させた状態で、上記ドラムの軸方向と平行に、ドラムに連結されていることを特徴とするものである。
【０００８】
請求項２の発明は、請求項１記載の血圧計であって、上記カフ帯の幅方向の両端部の少なくとも両端側は、上記ドラムの軸直角方向に沿う形状に形成されていることを特徴とするものである。
【０００９】
請求項３の発明は、阻血袋を保持したカフ帯が設けられ、このカフ帯の長さ方向の両端部は、自動巻き取りドラムに連結されている血圧計であって、
上記ドラムは、円錐形状に形成されていることを特徴とするものである。
【００１０】
請求項４の発明は、阻血袋を保持したカフ帯が設けられ、このカフ帯の長さ方向の両端部は、自動巻き取りドラムに連結されている血圧計であって、
上記カフ帯の幅方向の一端部に、他端部方向に切り込んだスリットが形成されていることを特徴とするものである。
【００１１】
請求項５の発明は、阻血袋を保持したカフ帯が設けられ、このカフ帯の長さ方向の両端部は、自動巻き取りドラムに連結されている血圧計であって、
上記カフ帯の長さ方向の両端部にスリットが形成されて幅方向に２分割されるとともに、上記ドラムは軸方向に２分割されて独立して巻き取り可能に構成され、この分割された各ドラムに、上記分割されたカフ帯の同じ側の分割端側の端部が連結されていることを特徴とするものである。
【発明の効果】
【００１２】
請求項１の発明によれば、カフ帯の傾斜状両端部を連結したドラムを回転させて、カフ帯を巻き取ると、カフ帯の幅方向の両端部の内、傾斜の外向き側の端部の全長が長く、内向き側の端部の全長が短くなっているから、カフ帯は、外向き側の端部は太く、内向き側の端部は細くなるような略円錐筒状に巻かれるようになる。したがって、腕等の太い側を外向き側の端部に、腕等の細い側を内向き側の端部に位置させると、カフ帯と腕等との間に隙間が生じなくなるから、腕等を阻血袋で均等に圧迫できるので、測定精度が向上するようになる。また、カフ帯の外形状を変えるだけで均等に圧迫できるから、コスト安である。
【００１３】
請求項２の発明によれば、カフ帯の幅方向の両端部の少なくとも両端側をドラムの軸直角方向に沿う形状に形成したから、カフ帯をドラムに巻き取るときに、カフ帯がドラムの軸方向にズレながら巻き取られるのを防止できるようになる。
【００１４】
請求項３の発明によれば、カフ帯の両端部を連結した円錐形状のドラムを回転させて、カフ帯を巻き取ると、ドラムの細い側は円周長が短く、太い側は円周長が長くなっているから、カフ帯の幅方向の両端部の内、ドラムの細い側の端部は太く、太い側の端部は細くなるような略円錐筒状に巻かれるようになる。したがって、腕等の太い側をドラムの細い側の端部に、腕等の細い側をドラムの太い側の端部に位置させると、カフ帯と腕等との間に隙間が生じなくなるから、腕等を阻血袋で均等に圧迫できるので、測定精度が向上するようになる。また、ドラムの形状を変えるだけで均等に圧迫できるから、コスト安である。
【００１５】
請求項４の発明によれば、カフ帯の両端部を連結したドラムを回転させて、カフ帯を巻き取ると、カフ帯の幅方向の両端部の内、スリットの無い側の端部に比べて、スリットの有る側の端部は長さ方向の伸縮性が良くなっているから、カフ帯は、スリットの有る側の端部は太く、スリットの無い側の端部は細くなるような略円錐筒状に巻くことが可能になる。したがって、腕等の太い側をスリットの有る側の端部に、腕等の細い側をスリットの無い側の端部に位置させると、カフ帯と腕等との間に隙間が生じなくなるから、腕等を阻血袋で均等に圧迫できるので、測定精度が向上するようになる。また、カフ帯にスリットを形成するだけで均等に圧迫できるから、コスト安である。
【００１６】
請求項５の発明によれば、カフ帯の２分割された両端部をそれぞれ連結したドラムを回転させて、カフ帯を巻き取ると、カフ帯の２分割された両端部は、それぞれ独立して巻くことが可能になる。したがって、腕等の太い側の端部のドラムが巻き取りを停止しても、腕等の細い側のドラムが巻き取りを継続して、カフ帯を略円錐筒状に巻くことができるので、カフ帯と腕等との間に隙間が生じなくなるから、腕等を阻血袋で均等に圧迫できるので、測定精度が向上するようになる。
【発明を実施するための最良の形態】
【００１７】
以下、本発明を実施するための最良の形態について、図面を参照しながら詳細に説明する。
【００１８】
図１は血圧計１の斜視図である。この血圧計１は、家庭用としてコンパクトかつシンプルに構成したものであって、ボックス状の血圧計本体２には、前後方向に貫通する腕挿入穴３が形成されて、この腕挿入穴３には、腕を挿入するための柔軟な筒状カフリング４が配置されている。このカフリング４は、例えばポリエチレン等の布地製である。
【００１９】
上記血圧計本体２の上部には、開始・終了用スイッチ５と緊急排気用スイッチ６とが設けられ、前部には表示パネルの開き用ボタン７が設けられ、側部にはヒンジで開閉可能な表示パネル８が設けられている。この表示パネル８は、図示の開き位置から矢印ａの方向に閉じ操作すると、血圧計本体２の側部の凹部２ａに嵌め込まれる閉じ位置に収納されてロックされるようになり、上記開き用ボタン７を押すと、ロックが解除されて開き位置に開き操作できるようになる。
【００２０】
上記血圧計本体２の内部には、具体的に図示しないがポンプ、排気弁、圧力センサー等が設けられ、これらは、後述する阻血袋１１に対して空気を給排するための配管で接続されるとともに、制御部によって作動タイミングが制御されるようになる。
【００２１】
図２（ａ）は図１のＡ−Ａ線断面図、図２（ｂ）は図１のＢ−Ｂ線断面図である。上記血圧計本体２の腕挿入穴３の下部には、正面視で略Ｔ字状の腕置き台１０が設けられ、この腕置き台１０の上面は、上記腕挿入穴３の曲率に沿った曲面に形成されている。この腕置き台１０は、例えばＡＢＳ樹脂等の硬い成型品である。
【００２２】
上記腕挿入穴３の内部には、上部に阻血袋１１を保持したカフ帯１２が配置され、このカフ帯１２の両端部１２ａは、腕置き台１０の両側を通って、血圧計本体２の下部に設けられた巻き取りドラム１３に連結されている。上記カフ帯１２は、例えば可撓性のプラスチックシートであって、阻血袋１１の保持部分は、阻血袋１１の膨出を抑制するクリップ板を兼ねている。
【００２３】
上記巻き取りドラム１３は、血圧計本体２内にセットした市販の乾電池を電源とする電動モータ（不図示）で正逆駆動されるようになっていて、正転時には矢印ｂ方向に回転してカフ帯１２を巻き取り、逆転時には矢印ｃ方向に回転してカフ帯１２を巻き戻すようになる。
【００２４】
上記カフリング４は、上記腕置き台１０とカフ帯１２との間の配置されて、前端リング部４ａが腕挿入穴３の入口内部３ａに係止され、後端リング部４ｂが腕挿入穴３の出口内部３ｂに係止されて、腕挿入穴３の内周囲を覆うようになる。
【００２５】
上記カフリング４の外面下部には、上記腕置き台１０の上面に対向して、腕置き台１０の上面よりも円周方向に長い長方形状の可撓性補助シート１４が接着等によって取付けられていても良い。
【００２６】
上記血圧計１では、血圧計本体２の腕挿入穴３のカフリング４に腕を挿入して腕置き台１０に腕を置いた状態で、開始・終了用スイッチ５をオンすると、巻き取りドラム１３が正転されてカフ帯１２の両端部１２ａが巻き取られ、阻血袋１１がカフリング４を介して腕に巻き付けられながら、腕がカフリング４を介して腕置き台１０に押し付けられるようになる。
【００２７】
そして、阻血袋１１が腕に所定の巻き付け力で巻き付けられると、ポンプから配管を介して阻血袋１１に空気が供給されて、阻血袋１１が所定の圧力に達するまで腕を圧迫して動脈を阻血し、圧力センサーで所定の圧力に達したことが確認されると、ポンプを停止し、排気弁により一定速度で減圧するように阻血袋１１の空気が排出される。その後、巻き取りドラム１３が逆転されてカフ帯１２が巻き戻されるようになる。
【００２８】
上記阻血袋１１の圧迫時に動脈の脈波成分をフィルター等により抽出して、所定のアルゴリズムを用いて血圧値を算出し、その結果を表示パネル８で表示するようになる。
【００２９】
一方、図３（ａ）（ｂ）に示すように、上記カフ帯１２は、通常は二点鎖線ｄで示したような長方形状であるが、第１実施形態では、実線で示すように、カフ帯１２の長さ方向の両端部１２ａ´を傾斜状に形成している。また、上記カフ帯１２の幅方向の両端部１２ｂ，１２ｃの少なくとも両端側１２ｄは、上記巻き取りドラム１３の軸直角方向に沿う形状に形成している。すなわち、カフ帯１２は、見かけ上、扇を展開したような形状になっている。
【００３０】
そして、カフ帯１２の傾斜状両端部１２ａ´は、端縁を合致させた（揃えた）状態で、上記巻き取りドラム１３の軸方向ｅと平行に、巻き取りドラム１３に連結している。
【００３１】
第１実施形態の構成であれば、カフ帯１２の傾斜状両端部１２ａ´を連結した巻き取りドラム１３を矢印ｂ方向に回転させて、カフ帯１２を巻き取ると、カフ帯１２の幅方向の両端部１２ｂ，１２ｃの内、傾斜の外向き側の端部１２ｂの全長が長く、内向き側の端部１２ｃの全長が短くなっているから、カフ帯１２は、外向き側の端部１２ｂは太く、内向き側の端部１２ｃは細くなるような略円錐筒状に巻かれるようになる。
【００３２】
したがって、図３（ｃ）のように、上腕Ｍ１の太い側Ｄ１を外向き側の端部１２ｂに、細い側Ｄ２を内向き側の端部１２ｃに位置させると、カフ帯１２と上腕Ｍ１との間に隙間が生じなくなるから、上腕Ｍ１を阻血袋１１で均等に圧迫できるので、測定精度が向上するようになる。また、カフ帯１２の外形状を変えるだけで均等に圧迫できるから、コスト安である。
【００３３】
さらに、カフ帯１２の幅方向の両端部１２ｂ，１２ｃの少なくとも両端側１２ｄを巻き取りドラム１３の軸直角方向に沿う形状に形成したから、カフ帯１２を巻き取りドラム１３に巻き取るときに、カフ帯１２が巻き取りドラム１３の軸方向にズレながら巻き取られるのを防止できるようになる。
【００３４】
図４（ａ）〜（ｃ）に示す第２実施形態では、上記カフ帯１２は、長方形状であるが、上記巻き取りドラム１３を円錐形状に形成して、カフ帯１２の両端部１２ａを巻き取りドラム１３の円錐面と平行に連結したものである。
【００３５】
第２実施形態の構成であれば、カフ帯１２の両端部１２ａを連結した円錐形状の巻き取りドラム１３を矢印ｂ方向に回転させて、カフ帯１２を巻き取ると、巻き取りドラム１３の細い側１３ａは円周長が短く、太い側１３ｂは円周長が長くなっているから、カフ帯１２の幅方向の両端部１２ｂ，１２ｃの内、ドラムの細い側１３ａの端部１２ｂは太く、太い側１３ｂの端部１２ｃは細くなるような略円錐筒状に巻かれるようになる。
【００３６】
したがって、図３（ｃ）のように、上腕Ｍ１の太い側Ｄ１を巻き取りドラム１３の細い側１３ａの端部１２ｂに、上腕Ｍ１の細い側Ｄ２を巻き取りドラム１３の太い側１３ｂの端部１２ｃに位置させると、カフ帯１２と上腕Ｍ１との間に隙間が生じなくなるから、上腕Ｍ１を阻血袋１１で均等に圧迫できるので、測定精度が向上するようになる。また、巻き取りドラム１３の形状を変えるだけで均等に圧迫できるから、コスト安である。
【００３７】
図５（ａ）（ｂ）に示す第３実施形態では、長方形状のカフ帯１２の幅方向の一端部１２ｂに、他端部１２ｃ方向に切り込んだＶ字状のスリット（切り込み）１２ｅを長さ方向に所定の間隔で形成したものである。
【００３８】
第３実施形態の構成であれば、カフ帯１２の両端部１２ａを連結した巻き取りドラム１３を矢印ｂ方向に回転させて、カフ帯１２を巻き取ると、カフ帯１２の幅方向の両端部１２ｂ，１２ｃの内、スリット１２ｅの無い側の端部１２ｃに比べて、スリット１２ｅの有る側の端部１２ｂは長さ方向の伸縮（伸び）性が良くなっているから、カフ帯１２は、スリット１２ｅの有る側の端部１２ｂは太く、スリット１２ｅの無い側の端部１２ｃは細くなるような略円錐筒状に巻くことが可能になる。
【００３９】
したがって、図３（ｃ）のように、上腕Ｍ１の太い側Ｄ１をスリット１２ｅの有る側の端部１２ｂに、上腕Ｍ１の細い側Ｄ２をスリット１２ｅの無い側の端部１２ｃに位置させると、カフ帯１２と上腕Ｍ１との間に隙間が生じなくなるから、上腕Ｍ１を阻血袋１１で均等に圧迫できるので、測定精度が向上するようになる。また、カフ帯１２にスリット１２ｅを形成するだけで均等に圧迫できるから、コスト安である。
【００４０】
図６（ａ）（ｂ）に示す第４実施形態では、長方形状のカフ帯１２の両端部１２ａにスリット１２ｆを形成して幅方向に２分割するとともに、上記巻き取りドラム１３（Ａ，Ｂ）も軸方向に２分割して、それぞれクラッチ１６Ａ，１６Ｂと電動モータ１７Ａ，１７Ｂとを介して独立して巻き取り可能に構成し、この分割された各巻き取りドラム１３Ａ，１３Ｂに、分割されたカフ帯１２の同じ側の分割端側の端部１２ａ−１同士と１２ａ−２同士を連結したものである。
【００４１】
第４実施形態の構成であれば、カフ帯１２の２分割された両端部１２ａ−１，１２ａ−２をそれぞれ連結した巻き取りドラム１３Ａ，１３Ｂをクラッチ１６Ａ，１６Ｂと電動モータ１７Ａ，１７Ｂとを介して、それぞれ矢印ｂ方向に回転させて、カフ帯１２を巻き取ると、カフ帯１２の２分割された両端部１２ａ−１，１２ａ−２は、それぞれ独立して巻き取りドラム１３Ａ，１３Ｂに巻かれるようになる。
【００４２】
したがって、図３（ｃ）のように、上腕Ｍ１の太い側Ｄ１の端部１２ａ−２の巻き取りドラム１３Ｂの負荷が大きくなってクラッチ１６Ｂがオフして巻き取りを停止しても、上腕Ｍ１の細い側の巻き取りドラム１３Ａが巻き取りを継続して、カフ帯１２を略円錐筒状に巻くことができるので、カフ帯１２と上腕Ｍ１との間に隙間が生じなくなるから、上腕Ｍ１を阻血袋１１で均等に圧迫できるので、測定精度が向上するようになる。
【００４３】
上記各実施形態では、上腕Ｍ１を測定部位として説明したが、図７（ｃ）に示したように、手首Ｍ２を測定部位とすることもできる。
【図面の簡単な説明】
【００４４】
【図１】血圧計の斜視図である。
【図２】（ａ）は図１のＡ−Ａ線断面図、（ｂ）は図１のＢ−Ｂ線断面図である。
【図３】第１実施形態であり、（ａ）はカフ帯と巻き取りドラムの平面図、（ｂ）はカフ帯の巻き取り状態の斜視図、（ｃ）は上腕に巻き付けたカフ帯の側面断面図である。
【図４】第２実施形態であり、（ａ）はカフ帯と巻き取りドラムの平面図、（ｂ）はカフ帯の巻き取り状態の斜視図、（ｃ）は巻き取りドラムの斜視図である。
【図５】第３実施形態であり、（ａ）はカフ帯と巻き取りドラムの平面図、（ｂ）はカフ帯の巻き取り状態の斜視図である。
【図６】第４実施形態であり、（ａ）はカフ帯と巻き取りドラムの平面図、（ｂ）はカフ帯の巻き取り状態の斜視図である。
【図７】従来例であり、（ａ）はカフ帯と巻き取りドラムの平面図、（ｂ）はカフ帯の巻き取り状態の斜視図、（ｃ）は上腕または手首に巻き付けたカフ帯の側面断面図である。
【符号の説明】
【００４５】
１      血圧計
２      血圧計本体
１１    阻血袋
１２    カフ帯
１２ａ  長さ方向の両端部
１２ａ´  傾斜状両端部
１２ａ−１，１２ａ−２  分割端側の端部
１２ｂ，１２ｃ  幅方向の両端部
１２ｄ  両端側
１２ｅ  スリット
１２ｆ  スリット
１３（Ａ，Ｂ）  巻き取りドラム
１３ａ  細い側
１３ｂ  太い側
ｅ      軸方向
【図１】
2005237432.tif 000003
【図２】
2005237432.tif 000004
【図３】
2005237432.tif 000005
【図４】
2005237432.tif 000006
【図５】
2005237432.tif 000007
【図６】
2005237432.tif 000008
【図７】
2005237432.tif 000009